(57)【要約】【課題】脱穀処理により排出される排藁を処理する排藁処理部の駆動に同調して吸引ファンの吐出風量及び唐箕ファンの選別風量を調整することで、調整部の構造を簡単にし、且つ穀粒の選別性能を向上する。【解決手段】脱穀処理により生じる塵挨を吸収して機外に排出する吸引ファンと、脱穀処理により選別される穀粒をさらに精選するための選別風を送るファンであって、選別風量を調節する選別風量調節部を有する唐箕ファンと、脱穀処理により排出される排藁を処理する排藁処理部と、を具備するコンバインにおいて、吸引ファンが吐出風量を調節する風量調節部を有し、排藁流量に応じて駆動する排藁処理部の駆動に同調して風量調節部が吐出風量を調整し、且つ選別風量調節部が選別風量を調整する。【選択図】図３
2008283919.tif 000002
【特許請求の範囲】
【請求項１】
脱穀処理により生じる塵挨を吸収して機外に排出する吸引ファンと、
脱穀処理により選別される穀粒をさらに精選するための選別風を送るファンであって、選別風量を調節する選別風量調節部を有する唐箕ファンと、
脱穀処理により排出される排藁を処理する排藁処理部と、
を具備するコンバインにおいて、
前記吸引ファンに風量を調節する風量調節部を設け、
前記排藁処理部に排藁量検出機構を設け、該排藁量検出機構と前記風量調節部とを連動連結して、排藁流量に応じて風量調節部を調整する
ことを特徴とするコンバイン。
【請求項２】
前記吸引ファンを横断流ファンで構成し、前記風量調整部は前記吸引ファンの上部壁の吸引側端部に設けられた板状体を排藁流量に応じて回動することを特徴とする請求項１記載のコンバイン。
【請求項３】
前記吸引ファンは横断流ファンで構成されるとともに、前記風量調整部が前記吸引ファ
ンの上部壁の吸引側端部に設けられた板状体を排藁流量に応じて前記上部壁に沿ってスラ
イド移動することを特徴とする請求項１記載のコンバイン。
【発明の詳細な説明】
【技術分野】
【０００１】
本発明は、脱穀処理により生じる塵挨を吸収して機外に排出する吸引ファンと、脱穀処理により選別される穀粒をさらに精選するための選別風を送る唐箕ファンと、脱穀処理により排出される排藁を処理する排藁処理部とを具備するコンバインであって、排藁処理部の排藁量に同調して吸引ファンの風量と唐箕ファンの選別風量を調節可能とする技術に関する。
【背景技術】
【０００２】
脱穀装置により脱穀されて受網より落下する穀粒や塵埃等は、唐箕ファンより送られる選別風によって、塵埃を除去することでさらに精選される。また除去された塵埃は、機体後部に配設した吸引ファンにより吸引して、機外に排出する。
【０００３】
脱穀処理により生じる塵埃の量は、穀稈の量に略比例する。一方、吸引ファンの回転数は作業中において略一定回転となっている。また、唐箕ファンの回転数も作業中においては略一定回転となっているが、唐箕ファンの吸入口にシャッターを設け、さらに、該シャッターとチャフフィンと排藁量検出手段を連動連結して、排藁量に応じて唐箕ファンのシャッターを開閉するようにした技術が公知となっている。
【０００４】
しかし、吸引ファンの吐出風量が、塵埃の量に関わらず略一定であるため、刈取穀稈が少なく脱穀量が少なくなると、唐箕ファンの選別風量が減少されるものの、吸引ファンの風量が減少されないため、塵埃とともに二番物までも機外へ排出してしまうという問題点があった。
【０００５】
特許文献１では、上記問題点を解決すべく、唐箕ファンの選別風量と排塵ファン（吸引ファン）の吸引力とを同時に調整可能な脱穀機が開示されている。
【特許文献１】特開２００１−９５３６２号公報
【発明の開示】
【発明が解決しようとする課題】
【０００６】
しかしながら、特許文献１では、扱胴の駆動負荷をセンサで検知し、その検知結果を電気信号にして制御手段に送り、その信号に基づいて、制御手段が、唐箕ファンに設けたダンパーと、排塵ファンの回転速度とを連動して制御することから、制御方法が複雑である。また、排塵ファンの吸引力は、排塵ファンの回転速度を調整するため、変速装置が必要となり調整部の部品点数が多く、調整部の構造が複雑である。
本発明は、かかる問題を解決すべくなされたものであり、脱穀処理後の排藁量に同調して吸引ファンの吐出風量及び唐箕ファンの選別風量を調整することで、調整部の構造が簡単で、且つ穀粒の選別性能が向上可能なコンバインを提供することを目的とする。
【課題を解決するための手段】
【０００７】
本発明の解決しようとする課題は以上の如くであり、次にこの課題を解決するための手段を説明する。
【０００８】
即ち、請求項１においては、脱穀処理により生じる塵挨を吸収して機外に排出する吸引ファンと、脱穀処理により選別される穀粒をさらに精選するための選別風を送るファンであって、選別風量を調節する選別風量調節部を有する唐箕ファンと、脱穀処理により排出される排藁を処理する排藁処理部と、を具備するコンバインにおいて、前記吸引ファンが吐出風量を調節する風量調節部を有し、排藁流量に応じて駆動する前記排藁処理部の駆動に同調して前記風量調節部が吐出風量を調整し、且つ前記選別風量調節部が選別風量を調整するものである。
【０００９】
請求項２においては、前記吸引ファンは横断流ファンで構成されるとともに、前記風量調整部が前記吸引ファンの上部壁の吸引側端部に設けられた板状体であって、前記板状体が片端部を軸として回動するものである。
【００１０】
請求項３においては、前記吸引ファンは横断流ファンで構成されるとともに、前記風量
調整部が前記吸引ファンの上部壁の吸引側端部に設けられた板状体であって、前記板状体
が前記上部壁に沿ってスライド移動するものである。
【発明の効果】
【００１１】
本発明の効果として、以下に示すような効果を奏する。
【００１２】
請求項１においては、脱穀量と連関する排藁流量に応じて吸引ファンの吐出風量と唐箕ファンの選別風量を同時に調整するため、脱穀量に応じたきめ細かい吐出風量の調整ができるともに、穀粒の精選効率が向上する。
【００１３】
請求項２においては、吸引ファンの上部壁の吸引側端部に設けられた板状体によって、吸引ファンの吸引側開口部の開口面積が調整可能であるため、脱穀量に応じたきめ細かい吐出風量の調整ができる。また、板状体が片端部を軸として回動するため、構造が簡単である。
【００１４】
請求項３においては、吸引ファンの上部壁の吸引側端部に設けられた板状体によって、吸引ファンの吸引側開口部の開口面積が調整可能であるため、脱穀量に応じたきめ細かい吐出風量の調整ができる。また、当該板状体が吸引ファンの外周壁面に沿って略平面的に動くため、機内が省スペースであっても設置ができる。
【発明を実施するための最良の形態】
【００１５】
以下、本発明の実施形態に係るコンバイン１について図面に基づいて説明する。
図１は、本発明の実施形態に係るコンバイン１の側面図である。なお、本発明は、本実施例に係るコンバイン１に限定されず、排藁処理部、唐箕ファン及び吸引ファンを備えるコンバインに広く適用可能である。また、以下の説明では、コンバイン１の進行方向に対して左側を単に左側とし、コンバイン１の進行方向に対して右側を単に右側とする。
【００１６】
図１に示すように、コンバイン１は、走行機体１０が左右一対の走行クローラ２によって支持されており、走行機体１０の前端部に刈取部３を昇降機構を介して昇降可能に配設し、走行機体１０上の右側前部に運転部５を配設し、走行機体１０の右側後部に脱穀後の穀粒を貯留する穀粒タンク６を配設し、走行機体１０上の左側に脱穀部７を配設し、その後部に排藁処理部８を配設している。
【００１７】
刈取部３で刈り取った穀稈はフィードチェン１１０により脱穀部７へ搬送され、脱穀部７で扱胴の回転により脱粒され、受網を漏下した穀粒や藁屑等は選別により選別され、一番物（籾）は穀粒タンク６に貯留する一方、排藁は排藁処理部８で細断またはそのまま機外へ排出する。
【００１８】
図２は、本発明の実施形態に係るコンバイン１の脱穀部７、排藁処理部８の側面図、図３は、揺動選別装置７２０、唐箕ファン７３０、吸引ファン７４０、及び排藁量検出機構８２０の連動機構の側面図である。
【００１９】
図２に示すように、脱穀部７は、扱胴７１０と扱胴７１０の外周下方に配設される受網７１２を備え、該脱穀部７の下方に選別部が配設され、該選別部は揺動選別装置７２０や唐箕ファン７３０や風向板等を備え、揺動選別装置７２０の後上方には塵埃を吸引して機外に排出する吸引ファン７４０が配設されている。また、揺動選別装置７２０の下方には、一番物を取り出す１番コンベア７５０と、二番物を揺動選別装置７２０に還元する２番コンベア７６０が配設されている。
【００２０】
前記扱胴７１０は、円筒状に形成され、軸心を前後方向に配置し、外周面に複数のこぎ歯７１１を配列している。
【００２１】
前記揺動選別装置７２０は、フィードパン７２１と、チャフシーブ７２２と、グレンシーブ７２３と、ストローラック７２４等を具備し、扱胴７１０の下方に張設された受網７１２から漏下した脱穀物が、フィードパン７２１及びチャフシーブ７２２等によって揺動選別されるように構成されている。
【００２２】
図３に示すように、チャフシーブ７２２は、複数の選別板７２５を所定の間隔ごとに前後方向に配列し、選別板７２５を回動して選別間隔を調整可能とすることで、穀稈量に応じて選別板７２５と選別板７２５の間隔を変更し、フィードパン７２１より送られた穀粒と藁屑、及び受網７１２から漏下した穀粒と藁屑、を粗選別する。
【００２３】
選別板７２５は、左右一側端部をチャフ連動板７２６に連結されている。チャフ連動板７２６は、一端部にチャフシーブ調整アーム７２７が接続されており、チャフシーブ調整アーム７２７が回動されることで、チャフ連動板７２６が一体となって前後方向に移動して、チャフ連動板７２６に連結した選別板７２５・７２５・・・が回動されて、傾斜角度が変更されるとともに、隙間も変更される。
【００２４】
前記チャフシーブ調整アーム７２７は、端部に同調ワイヤ７２８が接続されており、該同調ワイヤ７２８の他端は、後述する排藁処理部８の検出アーム８２１に接続されている。さらに、チャフシーブ調整アーム７２７は、端部にバネ（図示せず）が接続されて同調ワイヤ７２８の引っ張り方向と反対方向に付勢している。
【００２５】
図２に示すように、グレンシーブ７２３は、チャフシーブ７２２の下方に設置され、チャフシーブ７２２で選別されて落下した穀粒等を、唐箕ファン７３０から送風される選別風とともに精選別する。
【００２６】
ストローラック７２４は、チャフシーブ７２２の端部に設置され、揺動により藁屑をほぐして、藁屑に混じる穀粒を２番コンベア７６０に落下させ、再選別を行う。
【００２７】
唐箕ファン７３０は、揺動選別装置７２０の前下方に配置して、揺動選別装置７２０の全幅（左右方向）で横設されており、チャフシーブ７２２より落下してくる穀粒等に選別風を当て、穀粒を１番コンベア７５０へ、比重の小さい軽い物を２番コンベア７６０へ飛ばすことで精選別を行う。また、唐箕ファン７３０は、唐箕ファンケース７３１内に設けられており、唐箕ファンケース７３１の側部壁に吸引風量を調整するシャッター７３２（図３）を有する。
【００２８】
図３に示すように、シャッター７３２は、端部にシャッター軸７３３を有し、シャッター軸７３３を中心に上下方向に回動して唐箕ファン７３０の吸入口を開閉する。シャッター軸７３３は、端部を唐箕ファンケース７３１に固定されて、該シャッター軸７３３にシャッター７３２の端部が回転自在に枢支されている。シャッター７３２の一端にシャッターレバー７３４の一端が固設され、該シャッターレバー７３４の他端に同調ワイヤ７３５の一端が接続されており、該同調ワイヤ７３５の他端が後述する排藁処理部８の検出アーム８２１に接続されている。さらに、シャッターレバー７３４の他端にバネ（図示せず）が接続されて、同調ワイヤ７３５の引っ張り方向と反対方向に付勢している。このように、唐箕ファン７３０は、シャッター７３２と、シャッター軸７３３と、シャッターレバー７３４と、バネ（図示せず）等、で構成される選別風量調整部を有する。
【００２９】
吸引ファン７４０は、揺動選別装置７２０の後部上方に、揺動選別装置７２０の全幅（左右方向）で横設されており、唐箕ファン７３０からの選別風に乗ってきた塵埃を吸引して機外に排出する。また、吸引ファン７４０は、吸引ファンケース７４１内に設けられた横断流ファンであり、吸引ファンケース７４１の上部壁に風量を調整する開閉板７４２（図３）を有する。
【００３０】
図３に示すように、開閉板７４２は、吸引ファン７４０の全幅（左右方向）で横設された板状体であり、吸引ファンケース７４１の上部に固定された支点軸７４３に開閉板７４２の後部が枢支され、支点軸７４３を中心に前部が上下方向に回動可能とされて開閉できるようにしている。また、開閉板７４２は、支点軸７４３と反対側の端部７４５に同調ワイヤ７４４が接続されており、同調ワイヤ７４４を介して、後述する排藁処理部８の検出アーム８２１に接続されている。さらに、開閉板７４２は、端部７４５にバネ７４６（図４）が接続されて同調ワイヤ７４４の引っ張り方向と反対方向に付勢している。但し、開閉板７４２の回動基部側よりアームを突設して、同調ワイヤ７４４と接続する構成とすることも可能である。このように、吸引ファン７４０は、開閉板７４２と、支点軸７４３と、バネ７４６等、で構成される風量調節部を有する。
【００３１】
図２に示すように、１番コンベア７５０は、揺動選別装置７２０下方であって、唐箕ファン７３０の後方に左右方向に横設されており、揺動選別装置７２０によって選別された穀粒（一番物）を取り出し、１番コンベア７５０の右側端で連通接続した揚穀筒７５１に搬送する。搬送した穀粒は、揚穀筒７５１を介して穀粒タンク６へ搬入する。
【００３２】
２番コンベア７６０は、１番コンベア７５０の後方に左右方向に横設されており、揺動選別装置７２０によって選別された枝梗付き穀粒等（二番物）を取り出し、２番コンベア７６０の右側端で連通接続した還元筒７６１に搬送する。搬送した枝梗付き穀粒等は、還元筒７６１を介して揺動選別盤７２０のフィードパン７２１の上面側に戻して再選別する。
【００３３】
次に、排藁処理部８について、図２及び３に基づいて説明する。排藁処理部８は、排藁チェーン８１０と、チェーンガイド８２５と、排藁量検出機構８２０と、排藁カッター８３０と、を具備する。
【００３４】
排藁チェーン８１０は、フィードチェン１１０の後端側（送り終端側）に配置され、フィードチェン１１０の後端側から受け継がれた排藁を、排藁カッター８３０に搬送して切断し、または切断せずに機外へ排出する。
【００３５】
図３に示すように、排藁量検出機構８２０は、チェーンガイド８２５の下面に固設して下方へ突設される検出ロッド８２２と、該検出ロッド８２２の下端に当接（または連結）される検出プレート８２３と、該検出プレート８２３の回動基部を固設（または枢支）する回動軸８２４と、該検出プレート８２３に連設して前記同調ワイヤと連結する検出アーム８２１等を具備する。
【００３６】
排藁量検出機構８２０は、左右方向に軸心を有する回動軸８２４が、コンバイン１の機体に枢支されており、この回動軸８２４に、検出プレート８２３の端部（後端）及び検出アーム８２１の一端（上端）が固定されている。検出プレート８２３の上面には、チェーンガイド８２５の下面に垂設されている検出ロッド８２２の下端が当接されている。検出アーム８２１の他端（下端）には、同調ワイヤ７２８、７３５、７４４の他端（後端）が取り付けられている。同調ワイヤ７２８、７３５、７４４の一端部（前端）は、チャフシーブ７２２のチャフシーブ調整アーム７２７、唐箕ファン７３０のシャッターレバー７３４、及び吸引ファン７４０の開閉板７４２にそれぞれ取り付けられている。
【００３７】
次に、排藁量検出機構８２０と、揺動選別装置７２０、唐箕ファン７３０、及び吸引ファン７４０との連動機構について、図３に基づいて説明する。
【００３８】
図３に示すように、揺動選別装置７２０、唐箕ファン７３０、及び吸引ファン７４０は、排藁量検出機構８２０と同調ワイヤ７２８、７３５、７４４を介してそれぞれ接続されており、排藁量検出機構８２０により検出した穀稈量に応じて、揺動選別装置７２０のチャフシーブ７２２、唐箕ファン７３０のシャッター７３２、及び吸引ファン７４０の開閉板７４２がそれぞれ動作する。
【００３９】
排藁量検出機構８２０は、排藁が、排藁チェーン８１０とチェーンガイド８２５との間を搬送されることで、チェーンガイド８２５が上下方向に動作する。すなわち、排藁流量（排藁が搬送される量）が増加すると、排藁によって、チェーンガイド８２５が下方に押し下げられ、排藁流量が減少すると、チェーンガイド８２５は上方に上がる。
【００４０】
排藁量が増加すると、つまり、刈取穀稈が増加して脱穀量が増加すると、チェーンガイド８２５が押し下げられ、チェーンガイド８２５の下面に垂設されている検出ロッド８２２が下方に下がる。検出ロッド８２２が下がると、検出ロッド８２２の下端に当接された検出プレート８２３が回動軸８２４を中心として半時計回りに回動する。検出プレート８２３が回動すると、それに伴って、検出アーム８２１も回動軸８２４を中心として半時計回りに回動する。検出アーム８２１が回動することで、検出アーム８２１の他端（下端）に取り付けられた同調ワイヤ７２８、７３５、７４４が引っ張られ、同時に、揺動選別装置７２０のチャフシーブ７２２、唐箕ファン７３０のシャッター７３２、及び吸引ファン７４０の開閉板７４２がそれぞれ動作する。
【００４１】
一方、前記と逆に排藁量が減少すると、チェーンガイド８２５が上方に上がり、検出ロッド８２２も上方に上がる。検出ロッド８２２が上がると、検出プレート８２３が回動軸８２４を中心として時計回りに回動する。検出プレート８２３が回動すると、それに伴って、検出アーム８２１も回動軸８２４を中心として時計回りに回動する。検出アーム８２１が回動することで、同調ワイヤ７２８、７３５、７４４が弛み状態となり、同時に、揺動選別装置７２０のチャフシーブ７２２、唐箕ファン７３０のシャッター７３２、及び吸引ファン７４０の開閉板７４２が前記と逆方向に動作する。
【００４２】
このように、排藁流量に応じて排藁量検出機構８２０が駆動することにより、揺動選別装置７２０のチャフシーブ７２２、唐箕ファン７３０のシャッター７３２、及び吸引ファン７４０の開閉板７４２も同時に動作する。すなわち、排藁流量に応じて揺動選別装置７２０のチャフシーブ７２２、唐箕ファン７３０のシャッター７３２、及び吸引ファン７４０の開閉板７４２の動作を制御することが可能となる。
【００４３】
次に、排藁量検出機構８２０の駆動と、揺動選別装置７２０のチャフシーブ７２２の動作との関係について説明する。
チャフシーブ７２２は、排藁量が多い場合、つまり脱穀量が多い場合には、チャフシーブ７２２の選別板７２５の選別間隔を広くする（選別板７２５の角度を立てる）ように作動する。一方、排藁量が少ない場合、つまり脱穀量が少ない場合には、チャフシーブ７２２の選別板７２５の選別間隔を狭くする（選別板７２５の角度を寝かせる）ように作動する。このようにして、チャフシーブ７２２を通過する穀粒の量を調整する。
【００４４】
排藁量検出機構８２０は、上述のように、排藁量が増加すると、検出アーム８２１が半時計回りに回動することで、同調ワイヤ７２８を引っ張る。同調ワイヤ７２８が引っ張られることで、チャフシーブ７２２のチャフシーブ調整アーム７２７が機体後方へ引っ張られる。チャフシーブ調整アーム７２７が引っ張られることにより、チャフ連動板７２６が一体となって動作するとともに、チャフ連動板７２６に枢結した選別板７２５が動作する。この時、選別板７２５は、選別間隔を広くする（選別板７２５の角度を立てる）方向に回動する。これにより、大量の穀粒や藁屑等が落下してきても、詰まることなく選別処理することができる。
【００４５】
一方、排藁量が減少すると、排藁量検出機構８２０は、検出アーム８２１が時計回りに回動することで、同調ワイヤ７２８が弛み状態となる。同調ワイヤ７２８が弛み状態となることで、チャフシーブ調整アーム７２７が、端部に接続されているバネ（図示せず）の張力により、当該バネの縮み方向へ回動する。チャフシーブ調整アーム７２７が回動することにより、チャフ連動板７２６が一体となって動作するとともに、選別板７２５が動作する。この時、選別板７２５は、選別間隔を狭くする（選別板７２５の角度を寝かせる）方向に回動する。これにより、漏下量を制限し、藁屑の混入を防ぐことができる。
【００４６】
このように、排藁量に応じて駆動する排藁量検出機構８２０と同調して、チャフシーブ７２２の選別板７２５の選別間隔を調整することで、排藁量、すなわち脱穀量に応じた選別量の調整ができる。
【００４７】
次に、排藁量検出機構８２０の駆動と、唐箕ファン７３０のシャッター７３２の動作との関係について説明する。
唐箕ファン７３０のシャッター７３２は、排藁量が多い場合には、選別風量を多くするために、シャッター７３２を開く方向（上方向）に回動する。一方、排藁量が少ない場合には、選別風量を少なくするために、シャッター７３２を閉じる方向（下方向）に回動する。
【００４８】
排藁量検出機構８２０は、排藁量が増加すると、検出アーム８２１が半時計回りに回動することで、検出アーム８２１の他端（下端）に取り付けられた同調ワイヤ７３５を引っ張る。同調ワイヤ７３５が引っ張られることで、シャッターレバー７３４が機体後方へ引っ張られる。シャッターレバー７３４が引っ張られることにより、シャッター７３２が開く方向（上方向）に回動する。これにより、唐箕ファン７３０の選別風量を多くすることができる。
【００４９】
一方、排藁量が減少すると、排藁量検出機構８２０は、検出アーム８２１が時計回りに回動することで、同調ワイヤ７３５が弛み状態となる。同調ワイヤ７３５が弛み状態となることで、シャッターレバー７３４が、端部に接続されているバネ（図示せず）の張力により、当該バネの縮み方向へ回動する。シャッターレバー７３４が回動することにより、シャッター７３２が閉じる方向（下方向）に回動する。これにより、唐箕ファン７３０の選別風量を小さくすることができる。
【００５０】
このように、排藁量に応じて駆動する排藁量検出機構８２０と同調して、シャッター７３２の開閉を調整することで、排藁量、すなわち脱穀量に応じた選別風量の調整ができる。
【００５１】
次に、排藁量検出機構８２０の駆動と、吸引ファン７４０の開閉板７４２の動作との関係について説明する。
吸引ファン７４０の開閉板７４２は、排藁量が多い場合には、吐出風量を多くするために、開閉板７４２を閉じる方向（下方向）に回動する。一方、排藁量が少ない場合には、吐出風量を少なくするために、開閉板７４２を開く方向（上方向）に回動する。
【００５２】
排藁量検出機構８２０は、排藁量が増加すると、検出アーム８２１が半時計回りに回動することで、検出アーム８２１の他端（下端）に取り付けられた同調ワイヤ７４４を引っ張る。同調ワイヤ７４４が引っ張られることで、開閉板７４２が引っ張られ、開閉板７４２が閉じる方向（下方向）に回動する。これにより、吸引ファン７４０の吐出風量を多くすることができる。
【００５３】
一方、排藁量が減少すると、排藁量検出機構８２０は、検出アーム８２１が時計回りに回動することで、同調ワイヤ７４４が弛み状態となる。同調ワイヤ７４４が弛み状態となることで、開閉板７４２が端部７４５に接続されているバネ７４６（図４）の張力により、バネ７４６の縮み方向へ引っ張られ、開閉板７４２が開く方向（上方向）に回動する。これにより、吸引ファン７４０の吐出風量を小さくすることができる。
【００５４】
このように、排藁量に応じて駆動する排藁量検出機構８２０と同調して、開閉板７４２の開閉を調整することで、排藁量、すなわち脱穀量に応じた吐出風量の調整ができる。
【００５５】
ここで、吸引ファン７４０の変形例について、図４に基づいて説明する。図４は、吸引ファン７４０、７４０ｂの側面図である。図４（ａ）は、上述した実施例の吸引ファン７４０の側面図、図４（ｂ）は、以下に説明する吸引ファン７４０の変形例である吸引ファン７４０ｂの側面図である。
【００５６】
図４に示すように、吸引ファン７４０ｂは、前述の吸引ファン７４０と同様に、吸引ファンケース７４１ｂ内に設けられた横断流ファンであり、吸引ファンケース７４１ｂの上部壁に吐出風量を調整する開閉板７４２ｂを有する。
【００５７】
開閉板７４２ｂは、吸引ファン７４０ｂの全幅（左右方向）で横設された側面視円弧状の板状体であり、該開閉板７４２ｂと上部吸引ファンケース７４１ｂを側面視で同心円状に構成して、開閉板７４２ｂが吸引ファンケース７４１ｂの外周に沿ってスライド可能に構成している。該開閉板７４２ｂの前端側の端部にシャッター調整アーム７４７の先端が連結されている。該シャッター調整アーム７４７の基端側（開閉板７４２ｂを接続した端部と反対側の端部）は、吸引ファンケース７４１ｂの中心、つまり、吸引ファン７４０ｂの回転軸心に配設された支点軸７４３ｂに枢支され、支点軸７４３ｂを中心に回動する。シャッター調整アーム７４７が回動することで、開閉板７４２ｂが、吸引ファンケース７４１ｂに沿ってスライド移動する。また、シャッター調整アーム７４７の長手方向中途部７４８に同調ワイヤ７４４の一端が連結されており、該同調ワイヤ７４４の他端が排藁処理部８の検出アーム８２１に接続されている。さらに、シャッター調整アーム７４７の中途部７４８にバネ７４６ｂが接続されている。このように、吸引ファン７４０は、開閉板７４２ｂと、支点軸７４３ｂと、バネ７４６ｂと、シャッター調整アーム７４７と、で構成される風量調節部を有する。
【００５８】
図４に示すように、吸引ファン７４０の開閉板７４２は、上下方向にシャッター自体が開閉するが（図４（ａ））、吸引ファン７４０ｂの開閉板７４２ｂは、シャッター自体が吸引ファンケース７４１ｂに沿ってスライド移動をすることにより開閉する（図４（ｂ））。従って、吸引ファン７４０ｂの場合には、吸引ファンの上部にシャッター開閉用のスペースを設ける必要はなく、比較的狭いスペースに吸引ファンを設置することができる。
【００５９】
吸引ファン７４０ｂは、排藁量が多い場合には、吐出風量を多くするために、開閉板７４２ｂを閉じる方向（下方向）に吸引ファンケース７４１ｂに沿ってスライド移動する。一方、排藁量が少ない場合には、吐出風量を少なくするために、開閉板７４２ｂを開く方向（上方向）に吸引ファンケース７４１ｂに沿ってスライド移動する。また、開閉板７４２ｂは、開閉板７４２と同様に、排藁処理部８の駆動に同調して動作する。以下、排藁量検出機構８２０の駆動と、開閉板７４２ｂの動作との関係について説明する。
【００６０】
排藁量検出機構８２０は、排藁量が増加すると、検出アーム８２１が半時計回りに回動することで、同調ワイヤ７４４を引っ張る。同調ワイヤ７４４が引っ張られることで、シャッター調整アーム７４７が引っ張られて下方向に回動するとともに、開閉板７４２ｂが閉じる方向（下方向）にスライド移動する。これにより、吸引ファン７４０ｂの吐出風量を多くすることができる。
【００６１】
一方、排藁量が減少すると、排藁量検出機構８２０は、検出アーム８２１が時計回りに回動することで、同調ワイヤ７４４が弛み状態となる。同調ワイヤ７４４が弛み状態となることで、シャッター調整アーム７４７が、中途部７４８に接続されているバネ７４６ｂの張力により、バネ７４６ｂの縮む方向に回動するとともに、開閉板７４２ｂが開く方向（上方向）にスライド移動する。これにより、吸引ファン７４０ｂの吐出風量を小さくすることができる。
【００６２】
以上のように、揺動選別装置７２０のチャフシーブ７２２、唐箕ファン７３０のシャッター７３２、及び吸引ファン７４０の開閉板７４２は、排藁流量に応じて動作する排藁量検出機構８２０と同調して調節されるが、各部位の調節は、独立して個別に行われるのものではなく、排藁量検出機構８２０の動作とともに、全ての部位の調整が同時に行われる。従って、排藁流量、すなわち脱穀量に応じて、全ての部位の調節が行われるため、穀粒の精選効率が向上する。
【図面の簡単な説明】
【００６３】
【図１】本発明の実施形態に係るコンバイン１の側面図。
【図２】本発明の実施形態に係るコンバイン１の脱穀部７、排藁処理部８の側面図。
【図３】揺動選別装置７２０、唐箕ファン７３０、吸引ファン７４０、及び排藁量検出機構８２０の連動機構の側面図。
【図４】本発明の実施形態に係るコンバイン１の吸引ファン７４０、７４０ｂの側面図
【符号の説明】
【００６４】
７２０                  揺動選別装置
７２２                  チャフシーブ
７２５                  選別板
７２６                  チャフ連動板
７２７                  チャフシーブ調整アーム
７２８、７３５、７４４  同調ワイヤ
７３０                  唐箕ファン
７３２                  シャッター
７４２                  開閉板
７３３                  シャッター軸
７３４                  シャッターレバー
７４０                  吸引ファン
７４１                  吸引ファンケース
７４３                  支点軸
８１０                  排藁チェーン
８２０                  排藁量検出機構
８２１                  検出アーム
８２２                  検出ロッド
８２３                  検出プレート
８２４                  回動軸
８２５                  チェーンガイド
【図１】
2008283919.tif 000003
【図２】
2008283919.tif 000004
【図３】
2008283919.tif 000005
【図４】
2008283919.tif 000006